(57)【特許請求の範囲】
【請求項１】
携帯端末であって、
タッチ画面に端末の画面ロック映像を表示する映像実行部と、
前記端末の第１モーションパターンを測定するモーション測定部と、
前記画面ロック映像に対応する少なくとも２つの方向を有するモーションパターンを含む第２モーションパターンを保存するモーションパターン保存部と、
前記モーション測定部によって測定された前記第１モーションパターンと前記モーションパターン保存部に保存された前記第２モーションパターンとが一致する場合、前記端末の画面ロック解除を実行する制御部と、を含み、
前記映像実行部は、
前記第１モーションパターンと前記第２モーションパターンが同じ場合、前記画面ロック映像に対応する画面ロックが解除される動作を示す映像を表示する
ことを特徴とする携帯端末。
【請求項２】
前記制御部は、表示した前記映像に対応して前記タッチ画面を介して応答信号が受信される場合、前記端末のモーションを測定するように制御する
ことを特徴とする請求項１に記載の携帯端末。
【請求項３】
タッチパターンを保存するタッチパターン保存部と、
前記端末に対するユーザのタッチパターンと前記タッチパターン保存部に保存されたタッチパターンとを比較するタッチパターン比較部と、をさらに含み、
前記制御部は、前記端末に対するユーザのタッチパターンと前記タッチパターン保存部に保存されたタッチパターンとが一致する場合、前記端末のモーションを指示するメッセージを出力する
ことを特徴とする請求項１に記載の携帯端末。
【請求項４】
前記映像実行部は、
前記端末の画面にドア及び鍵の映像を表示し、
前記タッチパターン比較部は、ユーザによってタッチされて前記ドアの映像までドラッグされる前記鍵の映像に対するユーザのタッチパターンと前記保存されたタッチパターンとを比較する
ことを特徴とする請求項３に記載の携帯端末。
【請求項５】
前記映像実行部は、
前記端末の画面にスライディングドアの映像を表示し、
前記制御部は、前記端末に対するユーザのタッチパターンと前記タッチパターン保存部に保存されたタッチパターンとが一致する場合、前記スライディングドアを開けるように指示するメッセージを出力する
ことを特徴とする請求項３に記載の携帯端末。
【請求項６】
ユーザによって設定されたパスワードを保存するパスワード保存部と、
入力キーを介して入力されたパスワードを前記パスワード保存部に保存されたパスワードと比較するパスワード比較部と、をさらに含み、
前記制御部は、前記入力キーを介して入力されたパスワードと前記パスワード保存部に保存されたパスワードとが一致する場合、前記端末のモーションを指示するメッセージを出力する
ことを特徴とする請求項１に記載の携帯端末。
【請求項７】
前記モーション測定部は、
前記端末のモーション方向、当該モーション方向に対する速度、加速度、角速度、角加速度、勾配変化量、移動距離変化量のうち少なくとも１つを含むモーションを測定する
ことを特徴とする請求項１に記載の携帯端末。
【請求項８】
前記モーションパターン保存部は、
前記端末のモーション方向、当該モーション方向に対する速度、加速度、角速度、角加速度、勾配変化量、移動距離変化量のうち少なくとも１つに対するモーションパターンを保存する
ことを特徴とする請求項１に記載の携帯端末。
【請求項９】
電子装置のロック解除方法であって、
前記電子装置のタッチ画面に画面ロック映像を表示する段階と、
前記電子装置の第１モーションパターンを検出する段階と、
前記第１モーションパターンと少なくとも２つの方向を有するモーションパターンを含み前記電子装置に保存された第２モーションパターンとが一致する場合、前記画面ロック映像に対応する画面ロックが解除される動作を示す映像を表示する段階と、
前記電子装置の画面ロック解除を実行する段階と、を含む携帯端末の画面ロック解除方法。
【請求項１０】
タッチ感知ディスプレイで第１領域から第２領域に画像を動かすことに対応する接触を検出する段階と、
前記電子装置のモーションを要求するメッセージを表示するか、又は前記電子装置のモーションを要求する音声を出力する段階と、をさらに含む請求項９に記載の携帯端末の画面ロック解除方法。
【請求項１１】
前記第１モーションパターンと前記第２モーションパターンとが一致する場合、ユーザインタフェースロック解除状態に符合する音響効果を出力する段階と、
前記電子装置の前記第１モーションパターンとあらかじめ定義されたパターンとが一致しない場合、ユーザインタフェースロック状態に符合する音響効果を出力する段階と、をさらに含む請求項９に記載の携帯端末の画面ロック解除方法。
【請求項１２】
前記電子装置のモーションは、少なくとも２回の連続するモーションパターンである
ことを含む請求項９に記載の携帯端末の画面ロック解除方法。
【請求項１３】
前記電子装置の前記第１モーションパターンは、モーション方向、当該モーション方向に対する速度、加速度、角速度、角加速度、勾配変化量、移動距離変化量のうち少なくとも１つによって決定される
ことを含む請求項９に記載の携帯端末の画面ロック解除方法。
【請求項１４】
前記電子装置の第１モーションパターンを検出する段階は、
あらかじめ決定された位置に前記タッチ画面に表示された映像を動かすためにタッチ感知ディスプレイに接触されたタッチを検出する段階をさらに含む請求項９に記載の携帯端末の画面ロック解除方法。
【請求項１５】
前記電子装置の前記第１モーションパターンは、前記電子装置のジャイロセンサによって決定される
ことを含む請求項９に記載の携帯端末の画面ロック解除方法。
【発明の詳細な説明】
【技術分野】
【０００１】
本発明の実施形態は、モーションに基づいて画面ロック解除を実行する携帯端末及びそのロック解除方法に関する。さらに詳しくは、モーション測定センサを搭載し、搭載されたモーション測定センサによって測定された端末のモーション情報に基づいて画面のロック解除を実行する携帯端末及びそのロック解除方法に関する。
【背景技術】
【０００２】
携帯電話のような携帯端末が生活必需品として認識されることにより、様々な個人情報が携帯端末に保存されて使用されている。特に、携帯端末のメモリ保存容量が増大し、モバイルバンキング、モバイル株式取引などの機能が付加されることにより、クレジットカード情報、証券取引情報などのようなセキュリティに注意を払わなければならない個人情報が携帯端末に保存されて使用されるようになった。それにより、最近では、携帯端末に保存された個人情報のセキュリティのための様々な方法が開発されており、その中の１つが設定された時間の間に携帯端末を使用しない場合、画面ロック機能を実行して他人のアクセスを制限する方法である。画面ロック機能が実行されると、携帯端末の基本機能（例えば、電話受信機能）以外の他の付加機能の使用が遮断され得る。
【０００３】
画面ロック機能が実行された携帯端末に対して画面ロックを解除するためには、入力キーを介してユーザが予め設定したパスワードと同じパスワードを入力するか、又はタッチスクリーンの画面上にユーザが予め設定したタッチパターンと同じタッチパターンを形成する方法が用いられ得る。
最近では、より直観的でユーザが便利に利用できる上、携帯端末に保存された個人情報のセキュリティを強化できる様々な画面ロック解除方法が研究されている。
【発明の概要】
【発明が解決しようとする課題】
【０００４】
本発明の実施形態は、上記の傾向に沿って、より直観的でユーザが便利に利用できる上、携帯端末に保存された個人情報のセキュリティの強化を可能にする、モーションに基づいて画面ロック解除を実行する携帯端末及びそのロック解除方法を提供することを目的とする。
【課題を解決するための手段】
【０００５】
本発明は上記課題を解決するために案出されたものであって、本発明の第１実施形態による携帯端末は、端末の第１モーションパターンを測定するモーション測定部と、端末に対して設定された少なくとも相異なる２つの方向へのモーションをそれぞれ含む第２モーションパターンを保存するモーションパターン保存部と、モーション測定部によって測定された第１モーションパターンとモーションパターン保存部に保存された第２モーションパターンとが一致する場合、端末の画面ロック解除を実行する制御部と、を含む。
【０００６】
本発明の第１実施形態による携帯端末は、タッチ画面に端末の画面ロック解除のための映像を表示する映像実行部をさらに含み、制御部は、表示した映像に対応してタッチ画面を介して応答信号が受信される場合、端末のモーションを測定するように制御する。
本発明の第１実施形態による携帯端末は、ユーザによって設定されたタッチパターンを保存するタッチパターン保存部と、端末に対するユーザのタッチパターンとタッチパターン保存部に保存されたタッチパターンとを比較するタッチパターン比較部と、をさらに含み、制御部は、端末に対するユーザのタッチパターンとタッチパターン保存部に保存されたタッチパターンとが一致する場合、前記端末のモーションを指示するメッセージを出力する。
【０００７】
本発明の第１実施形態による携帯端末は、画面にドア（ｄｏｏｒ）及び鍵の映像を表示する映像実行部をさらに含み、タッチパターン比較部は、ユーザによってタッチされてドアの映像までドラッグ（ｄｒａｇ）される鍵の映像のユーザのタッチパターンと保存されたタッチパターンとを比較する。
本発明の第１実施形態による携帯端末は、画面にスライディングドアの映像を表示する映像実行部をさらに含み、制御部は、端末に対するユーザのタッチパターンとタッチパターン保存部に保存されたタッチパターンとが一致する場合、スライディングドアを開けることを指示するメッセージを出力する。
本発明の第１実施形態による携帯端末は、ユーザによって設定されたパスワードを保存するパスワード保存部と、入力キーを介して入力されたパスワードとパスワード保存部に保存されたパスワードとを比較するパスワード比較部と、をさらに含み、制御部は、入力キーを介して入力されたパスワードとパスワード保存部に保存されたパスワードとが一致する場合、端末のモーションを指示するメッセージを出力する。
【０００８】
本発明の第１実施形態による携帯端末のモーション測定部は、携帯端末のモーション方向、当該モーション方向に対する速度、加速度、角速度、角加速度、勾配変化量、移動距離変化量のうち少なくとも１つを含むモーションを測定する。
本発明の第１実施形態による携帯端末のモーションパターン保存部は、携帯端末のモーション方向、当該モーション方向に対する速度、加速度、角速度、角加速度、勾配変化量、移動距離変化量のうち少なくとも１つに対するモーションパターンを保存する。
【０００９】
本発明の第１実施形態による電子装置のロック解除方法は、電子装置の少なくとも２つの方向へのモーションを含む第１モーションパターンを感知する段階と、感知した第１モーションパターンと電子装置に保存された第２モーションパターンとが一致する場合、電子装置の画面ロック解除を実行する段階と、を含む。
本発明の第１実施形態による電子装置のロック解除方法は、タッチ感知画面で第１領域から第２領域への移動によるタッチを感知する段階と、電子装置のモーションを要求するメッセージを表示するか、又は前記電子装置のモーションを要求する音声を出力する段階と、を含む。
【００１０】
本発明の第１実施形態による電子装置のロック解除方法は、感知した第１モーションパターンと電子装置に保存された第２モーションパターンとが一致する場合、電子装置のロック解除状態に符合する音響効果を出力する段階と、感知した第１モーションパターンと電子装置に保存された第２モーションパターンとが一致しない場合、電子装置のロック状態に符合する音響効果を出力する段階と、を含む。
本発明の第１実施形態による電子装置のロック解除方法で、電子装置の第１モーションパターンは、少なくとも２回の連続するモーションパターンを構成する。
本発明の第１実施形態による電子装置のロック解除方法で、電子装置の第１モーションパターンは、速度、加速度、角速度、角加速度、勾配変化量及び移動距離変化量のうち少なくとも１つによって決定される。
【００１１】
本発明の第２実施形態による電子装置は、タッチ感知画面と、１つ以上のプログラムを構成するメモリと、１つ以上のプログラムを実行する１つ以上のプロセッサと、を含み、１つ以上のプログラムは、タッチ感知画面を備えた電子装置がユーザインタフェースロック状態にある間、タッチ感知画面に画像を出力し、タッチ感知画面との接触を感知し、感知した接触がタッチ感知画面の第１領域から第２領域へ画像を移動することに相応する場合、電子装置のモーションを感知し、感知した電子装置のモーションが予め設定されたモーションパターンと一致する場合、電子装置をユーザインタフェースロック解除状態に移行する。
【００１２】
本発明の第２実施形態による電子装置で、１つ以上のプログラムは、感知した接触がタッチ感知画面上で第１領域から第２領域へ特定の画像を移動することに相応する場合、電子装置のモーションを要求するメッセージを表示するか、又は電子装置のモーションを要求する音声を出力する。
本発明の第２実施形態による電子装置で、１つ以上のプログラムは、感知した電子装置のモーションと予め設定されたモーションパターンとが一致する場合、ユーザインタフェースロック状態に符合する音響効果を出力し、感知した電子装置のモーションと予め設定されたモーションパターンとが一致しない場合、ユーザインタフェースロックに符合する音響効果を出力する。
本発明の第２実施形態による電子装置のモーションは、少なくとも２回の連続するモーションパターンを構成する。
本発明の第２実施形態による電子装置のモーションは、速度、加速度、角速度、角加速度、勾配変化量、移動距離変化量のうち少なくとも１つによって決定される。
【００１３】
本発明の第２実施形態による電子装置のロック解除方法は、タッチ感知画面がユーザインタフェースロック状態にある間、タッチ感知画面に画像を表示する段階と、タッチ感知画面との接触（タッチ）を感知する段階と、感知した接触が画像をタッチ感知画面の予め指定された位置に移動させることに相応する場合、電子装置のモーションを要求するメッセージを表示する段階と、感知した電子装置のモーションと予め設定されたモーションパターンとが一致する場合、電子装置をユーザインタフェースロック解除状態に移行する段階と、感知した電子装置のモーションと予め設定されたモーションパターンとが一致しない場合、電子装置をユーザインタフェースロック状態に移行する段階と、を含む。
本発明の第２実施形態による電子装置のロック解除方法は、感知した電子装置のモーションと予め設定されたモーションパターンとが一致する場合、ユーザインタフェースロック解除状態に符合する音響効果を出力する段階と、感知した電子装置のモーションと予め設定されたモーションパターンと一致しない場合、ユーザインタフェースロック状態に符合する音響効果を出力する段階と、を含む。
【００１４】
本発明の第３実施形態による電子装置は、ユーザインタフェースロック状態の解除を示すタッチパターンを保存するタッチパターン保存部と、電子装置に入力されたタッチパターンとタッチパターン保存部に保存されたタッチパターンとを比較するタッチパターン比較部と、電子装置の第１モーションパターンを測定するモーション測定部と、電子装置に対して設定された第２モーションパターンを保存するモーションパターン保存部と、電子装置に入力されたタッチパターンとタッチパターン保存部に保存されたタッチパターンとが一致する場合、電子装置のモーションを指示するメッセージを出力し、モーション測定部によって測定された電子装置の第１モーションパターンとモーションパターン保存部に保存された第２モーションパターンとが一致する場合、電子装置の画面ロック解除を実行する制御部と、を含む。
本発明の第３実施形態による電子装置で、電子装置の第１モーションパターンはジャイロセンサによって決定される。
【００１５】
本発明の第３実施形態による電子装置のロック解除方法は、タッチ感知画面を備えた電子装置がユーザインタフェースロック状態にある間、タッチ感知画面上にユーザインタフェースロック状態の解除を示す画像を表示する段階と、表示した画像を予め指定された位置に移動するためにタッチ感知画面との接触を感知する段階と、電子装置の第１モーションパターンを感知する段階と、感知した第１モーションパターンと電子装置に保存された第２モーションパターンとが一致する場合、電子装置の画面ロック解除を実行する段階と、を含む。
本発明の第３実施形態による電子装置のロック解除方法は、感知した第１モーションパターンと保存された第２モーションパターンとが一致する場合、ユーザインタフェースロック状態の解除に符合する音響効果を出力する段階と、感知した第１モーションパターンと保存された第２モーションパターンとが一致しない場合、ユーザインタフェースロック状態に符合する音響効果を出力する段階と、を含む。
本発明の第３実施形態による電子装置の第１モーションパターンはジャイロセンサによって決定される。
【００１６】
本発明の第４実施形態による電子装置は、ジャイロセンサによって電子装置の第１モーションパターンを測定するモーション測定部と、電子装置に対する第２モーションパターンを保存するモーションパターン保存部と、モーション測定部によって測定された第１モーションパターンとモーションパターン保存部に保存された第２モーションパターンとが一致する場合、電子装置の画面ロック解除を実行する制御部と、を含む。
本発明の第４実施形態による電子装置で、電子装置の第１モーションパターンはジャイロセンサによって決定される。
本発明の第４実施形態による電子装置は、タッチパターンを保存するタッチパターン保存部と、電子装置に入力されたタッチパターンとタッチパターン保存部にタッチパターンとを比較するタッチパターン比較部と、をさらに含み、制御部は、入力されたタッチパターンと保存されたタッチパターンとが一致する場合、電子装置のモーションを示す指示（ｉｎｓｔｒｕｃｔｉｏｎ）を出力する。
【００１７】
本発明の第４実施形態による電子装置の画面ロック方法は、ジャイロセンサによって電子装置の第１モーションパターンを感知する段階と、感知した第１モーションパターンと電子装置に保存された第２モーションパターンとが一致する場合、電子装置の画面ロック解除を実行する段階と、を含む。
本発明の第４実施形態による電子装置の画面ロック方法は、感知した第１モーションパターンと第２モーションパターンとが一致する場合、電子装置の画面ロック解除に符合する音響効果を出力する段階と、感知した第１モーションパターンと第２モーションパターンとが一致しない場合、電子装置の画面ロックに符合する音響効果を出力する段階と、を含む。
本発明の第４実施形態による電子装置の画面ロック方法は、タッチ感知画面で予め指定されたタッチに相応する接触を感知する段階と、電子装置のモーションを要求するメッセージを表示するか、又は電子装置のモーションを要求する音声を出力する段階と、を含む。
【００１８】
本発明の第５実施形態による電子装置は、タッチパターンを保存するタッチパターン保存部と、電子装置に入力されたタッチパターンとタッチパターン保存部に保存されたタッチパターンとを比較するタッチパターン比較部と、電子装置の第１モーションパターンを測定するモーション測定部と、電子装置に対して設定された第２モーションパターンを保存するモーションパターン保存部と、モーション測定部によって測定された電子装置の第１モーションパターンとモーションパターン保存部に保存された第２モーションパターンとが一致し、タッチパターン保存部に保存されたタッチパターンと一致する電子装置に入力されたタッチパターンが解除される場合、電子装置の画面ロック解除を実行する制御部と、を含む。
本発明の第５実施形態による電子装置の第１モーションパターンはジャイロセンサによって決定される。
【００１９】
本発明の第５実施形態による電子装置の画面ロック解除方法は、タッチ感知画面を備えた電子装置がユーザインタフェースロック状態にある間、タッチ感知画面に画像を表示する段階と、タッチ感知画面で画像を予め指定された位置に移動するために画像に対する接触を感知する段階と、電子装置の第１モーションパターンを測定する段階と、測定した第１モーションパターンと保存された第２モーションパターンとが一致し、感知した画像に対する接触が解除される場合、電子装置の画面ロック解除を実行する段階と、を含む。
本発明の第５実施形態による電子装置の画面ロック解除方法は、測定した第１モーションパターンと保存された第２モーションパターンとが一致する場合、電子装置の画面ロック解除状態に符合する音響効果を出力する段階と、測定した第１モーションパターンと保存された第２モーションパターンとが一致しない場合、電子装置の画面ロック状態に符合する音響効果を出力する段階と、をさらに含む。
【発明の効果】
【００２０】
本発明の実施形態によれば、携帯端末に搭載されたモーション測定センサを用いて端末のモーションを測定し、測定されたモーションに基づいて画面ロック解除を実行可能にすることによって、ユーザにより直観的で便利なユーザインタフェースを提供できるようになる。
また、携帯端末にドアの映像を表示し、携帯端末のモーションを当該映像に反映することによって、ユーザに実際にドアを開けるような感覚を持たせ、馴染みを感じて便利に携帯端末を利用できるようにする。
また、携帯端末のモーションに基づいた画面ロック解除機能及び他の画面ロック解除機能を連携して複合的に使用することによって、携帯端末に保存された個人情報のセキュリティをより強化できるようになる。
【図面の簡単な説明】
【００２１】
【図１】本発明の一実施形態による、モーションに基づいて画面ロック解除を実行する携帯端末を概略的に示す図である。
【図２】モーションパターンの一例を説明するために示す図である。
【図３】モーションパターンの別の例を説明するために示す図である。
【図４】本発明の実施形態に用いられるタッチ画面映像の一例を示す図である。
【図５】本発明の実施形態に用いられるタッチ画面映像の別の例を示す図である。
【図６】タッチパターンの例を示す図である。
【図７】本発明の実施形態に用いられる映像及び当該映像によるタッチパターンの例を示す図である。
【図８】本発明の別の実施形態による、モーションに基づいて画面ロック解除を実行する携帯端末を概略的に示す図である。
【図９】本発明の一実施形態による携帯端末の画面ロック解除方法を示すフローチャートである。
【図１０】本発明の別の実施形態による携帯端末の画面ロック解除方法を示すフローチャートである。
【図１１】本発明の別の実施形態によるタッチ画面映像を示す図である。
【図１２】本発明による図１１の携帯端末のモーションの程度によるページめくりの程度を示す図である。
【図１３】本発明の別の実施形態によるタッチ画面映像を示す図である。
【図１４】本発明の別の実施形態によるタッチ画面映像を示す図である。
【発明を実施するための形態】
【００２２】
以下、本発明の好ましい実施形態を添付された図面を参照して詳しく説明する。なお、本発明を説明するに当たって、関連する公知の機能または構成に対する具体的な説明が本発明の要旨を不要に不明確にする可能性があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００２３】
本発明は、例えば、スマートフォン及び移動通信端末のような、モバイルターミナルを含む電子装置で具現され得る。以下、携帯端末は、電子装置の例として使用される。
図１は、本発明の一実施形態による、モーションに基づいて画面ロック解除を実行する携帯端末を概略的に示す図である。
【００２４】
図１を参照すると、本発明の一実施形態による携帯端末１００は、モーション測定部１１０、モーションパターン保存部１２０、制御部１３０、タッチパターン保存部１４０、タッチパターン比較部１５０及び映像実行部１６０を含むことができる。ここで、携帯端末１００は、形態別に区分されるＰＤＡ（Ｐｅｒｓｏｎａｌ  Ｄｉｇｉｔａｌ  Ａｓｓｉｓｔａｎｔ）、セルラーフォン、スマートフォン、ノートブックＰＣ、タブレットなどと、通信方式別に区分されるＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、Ｗ−ＣＤＭＡ（Ｗｉｄｅｂａｎｄ  ＣＤＭＡ（Ｃｏｄｅ  Ｄｉｖｉｓｉｏｎ  Ｍｕｌｔｉｐｌｅ  Ａｃｃｅｓｓ））フォン、ＣＤＭＡ−２０００フォン、ＭＢＳ（Ｍｏｂｉｌｅ  Ｂｒｏａｄｂａｎｄ  Ｓｙｓｔｅｍ）フォンなどのような移動通信端末だけでなく、動画又は音楽の再生やゲームのようなアプリケーションをインストールし、それによって動画又は音楽の再生やゲームのようなアプリケーションを実行できるＭＰ３プレーヤ、ＰＭＰ（Ｐｏｒｔａｂｌｅ  Ｍｕｌｔｉｍｅｄｉａ  Ｐｌａｙｅｒ）、ＰＳＰ（ＰｌａｙＳｔａｔｉｏｎ  Ｐｏｒｔａｂｌｅ）などの移動端末を含む。
【００２５】
モーション測定部１１０は、勾配センサ、重力センサ、速度センサ、加速度センサ、角速度センサ、ジャイロセンサなどのようなモーション測定センサを用いて、携帯端末１００のモーション方向、当該モーション方向に対する速度、加速度、角速度、角加速度、勾配変化量、移動距離変化量等に対するモーションを測定できる。例えば、速度センサを用いる場合は、測定された速度に対して実際の測定時間を用いて移動距離変化量を計算することができ、単位時間あたり速度の変化量に基づいて加速度を計算することもできる。このようなモーション測定センサによるモーション測定方法は、公知の方法に従い、ここではその詳細な説明を省略する。
【００２６】
モーションパターン保存部１２０は、携帯端末１００に対して設定されたモーションパターンを保存する。例えば、モーションパターン保存部１２０は、図２に示したように、画面に対して前後方向のｘ軸方向、左右方向のｙ軸方向、及び上下方向のｚ軸方向の直線方向を基本方向に設定し、設定された基本方向に対して正のｘ軸方向→負のｘ軸方向→負のｚ軸方向→正のｙ軸方向が順に実行されるモーションパターンを設定して保存することができる。
また、モーションパターン保存部１２０は、図３に示したように、携帯端末１００の前後方向に対するｘ軸を中心に左側回転方向及び右側回転方向、携帯端末１００の左右方向に対するｙ軸を中心に左側回転方向及び右側回転方向、及び携帯端末１００の上下方向に対するｚ軸を中心に左側回転方向及び右側回転方向を基本方向に設定し、設定された基本方向に対してｘ軸を中心に右に回転→ｘ軸を中心に左に回転→ｚ軸を中心に左に回転→ｙ軸を中心に右に回転が順に実行されるモーションパターンを設定して保存することができる。
【００２７】
また、モーションパターン保存部１２０は、図２の直線方向及び図３の回転方向を結合して基本方向に設定し、設定された基本方向に対して直線方向のモーションと回転方向のモーションとを組み合わせてモーションパターンを設定して保存することもできる。このようなモーションパターンは、携帯端末１００を製造する際に設定されて保存されることができ、ユーザによって設定、変更、又は削除が可能に具現されることもできる。
制御部１３０は、モーション測定部１１０によって測定された携帯端末１１０のモーションがモーションパターン保存部１２０に保存されたモーションパターンと一致するかを比較し、携帯端末１００のモーションがモーションパターン保存部１２０に保存されたモーションパターンと一致する場合は、携帯端末１００の画面ロックを解除できる。
【００２８】
このように携帯端末１００のモーションによって画面ロック解除を実行するにあたり、制御部１３０は、映像実行部１６０を制御して画面にドア（ｄｏｏｒ）を開ける動作のような映像を表示させることができる。例えば、画面ロックが実行されると、画面に閉じられたドアの映像を表示させて「ドアを開けてください」という文字メッセージを表示するか、又は音声メッセージを出力することができ、ユーザがドアのノブを回して押したり引っ張ったりして携帯端末１００を動かす場合、当該携帯端末１００のモーションが設定されたモーションパターンと一致すると、画面にドアが開かれる映像を表示させて「ドアが開きました」のような文字メッセージ又は音声メッセージを出力することができる。この時、携帯端末１００の画面に表示される映像は、モーションパターン保存部１２０に保存されたモーションパターンに応じて様々に変形可能である。例えば、モーションパターンが左側又は右側への直線方向に開始されると、スライディングドア映像が表示されることができ、上側又は下側への直線方向に開始されると、上側又は下側方向のスライディングドアの映像が表示されることもできる。このように携帯端末１００の画面に表示された映像に対して、モーション測定部１１０によって測定された携帯端末１００のモーションとモーションパターン保存部１２０に保存されたモーションパターンとが一致すると、制御部１３０は、映像実行部１６０を制御して携帯端末１００に表示されたドアが開かれる動作の画面を実行させることができ、それと同時に画面のロックが解除されるように制御することができる。
【００２９】
映像実行部１６０は、タッチ画面に端末１００の画面ロック解除のための映像を表示することができ、制御部１３０は、表示された映像に対応してタッチ画面を介して応答信号が受信される場合に端末１００に対するモーションを測定するようにモーション測定部１１０を制御することもできる。例えば、映像実行部１６０は、図４に示したように、タッチ画面にドア映像４１０、鍵映像４２０、ノブ映像４３０及び鍵穴映像４４０を表示することができ、制御部１３０は、タッチ画面を介してユーザが鍵映像４２０をドラッグ（ｄｒａｇ）して鍵４２０を鍵穴４４０に合わせた場合に端末１００に対するモーションを測定するようにモーション測定部１１０を制御できる。この場合、制御部１３０は、ユーザがタッチ画面を介して鍵４２０を鍵穴４４０に合わせると、鍵穴４４０に鍵４２０が挿入される映像を表示し、鍵４２０が挿入された後、モーション測定部１１０によって、図４に示したように、鍵を反時計回り方向に回すモーションパターン及びノブ４３０を設定された方向に回すモーションパターンが測定された場合に画面ロック解除を実行できる。又は、映像実行部１６０は、図５に示したように、タッチ画面にドア映像５１０、カードキー映像５２０、ノブ映像５３０及びカードキー挿入口映像５４０を表示することができ、制御部１３０は、タッチ画面を介してユーザがカードキー５２０をカードキー挿入口５４０に合わせた場合に端末１００に対するモーションを測定するようにモーション測定部１１０を制御できる。この場合、制御部１３０は、カードキー５２０の前部分がカードキー挿入口５４０に一致すると、カードキー５２０がカードキー挿入口５４０に挿入される映像を表示することができ、ノブ５３０を設定された方向に回すモーションパターンが測定された場合に画面ロック解除を実行できる。これにより、ユーザが画面ロック解除を望まない場合も端末１００のモーションを測定して画面ロック解除を実行するようになる誤動作を防止できるようになる。
【００３０】
図４及び図５に示す映像及びその説明は、本発明の理解を助けるための例示に過ぎないものであって、画面ロック解除を実行するための映像の表示やモーション測定部１１０のモーション測定を開始するための動作は様々な変形が可能である。
このように、携帯端末に搭載されたモーション測定センサを用いて端末のモーションを測定し、測定されたモーションに基づいて画面ロック解除を実行できるようにすることによって、ユーザにより直観的で便利なユーザインタフェースを提供できるようになる。
【００３１】
一方、このような携帯端末１００のモーションに基づいた画面ロック解除機能は、タッチパターン確認と結合して使用され得る。例えば、タッチパターン保存部１４０は、図６に示したように、ユーザによって設定されたタッチパターンを保存することができ、タッチパターン比較部１５０は、携帯端末１００の画面上に入力されるユーザのタッチパターンをタッチパターン保存部１４０に保存されたタッチパターンと比較できる。この場合、制御部１３０は、画面上に入力されるユーザのタッチパターンとタッチパターン保存部１４０に保存されたタッチパターンとが一致する場合、映像実行部１６０を制御して携帯端末１００の画面にドア（ｄｏｏｒ）及び鍵（ｋｅｙ）の映像を表示させ、表示された鍵を用いてドアを開けるように案内するメッセージを音声又は文字で出力できる。また、出力された案内メッセージに対応してユーザが鍵をドアまでドラッグ（ｄｒａｇ）すると、制御部１３０は、「鍵を回してドアを開けてください」のように、携帯端末１００に対するモーションを指示する案内メッセージを音声又は文字で出力することができ、それによって、モーション測定部１１０を制御してユーザによる携帯端末１００のモーションを測定してモーションパターン保存部１２０に保存されたモーションパターンと比較できる。
【００３２】
また、制御部１３０は、映像実行部１６０を制御してタッチパターンの確認、並びにドア及び鍵の映像表示を同時に実行することもできる。例えば、制御部１３０は、映像実行部１６０を介して、図７のように、ドア及び鍵を携帯端末１００の画面に表示させ、ユーザによってタッチされてドア映像までドラッグされる鍵の移動パターンを保存されたタッチパターンと比較するようにタッチパターン比較部１５０を制御できる。
これにより、携帯端末に表示されるドア及び鍵の映像に携帯端末のモーションを反映してユーザに鍵を用いて実際にドアを開けるような感覚を持たせ、馴染みを感じて便利に携帯端末を利用できるようにする。
また、タッチパターンに基づいて一次的にユーザ本人を認証し、携帯端末のモーションに基づいて二次的にユーザ本人を認証できるようになるため、携帯端末に保存された個人情報のセキュリティをより強化できるようになる。
【００３３】
図８は、本発明の別の実施形態による、モーションに基づいて画面ロック解除を実行する携帯端末を概略的に示す図である。
図８を参照すると、本発明の別の実施形態による携帯端末８００は、モーション測定部８１０、モーションパターン保存部８２０、制御部８３０、パスワード保存部８４０、パスワード比較部８５０及び映像実行部８６０を含むことができる。ここで、モーション測定部８１０、モーションパターン保存部８２０及び制御部８３０の機能及び動作は、図１のモーション測定部１１０、モーションパターン保存部１２０及び制御部１３０の機能及び動作と同じであるため、その詳細な説明を省略する。
【００３４】
パスワード保存部８４０は、ユーザによって設定されたパスワードを保存することができる。携帯端末８００の画面ロックが実行されると、ユーザは携帯端末８００に設けられた入力キーを押すか、又はタッチスクリーンに表示された入力キーをタッチしてパスワードを入力することができ、パスワード比較部８５０は、ユーザによって入力されたパスワードとパスワード保存部８４０に保存されたパスワードとを比較する。
この時、ユーザによって入力されたパスワードがパスワード保存部８４０に保存されたパスワードと一致すると、制御部８３０は、携帯端末８００のモーションを指示するメッセージを出力することができ、その後、携帯端末８００のモーションに基づいて上記のような二次的なユーザ認証を実行できる。
【００３５】
図９は、本発明の一実施形態による携帯端末の画面ロック解除方法を示すフローチャートである。
図１及び図９を参照すると、モーションパターン保存部１２０は、携帯端末１００に対して設定されたモーションパターンを保存することができる（図９の９１０）。また、タッチパターン保存部１４０は、ユーザによって設定されたタッチパターンを保存することができる（図９の９２０）。ここでは、図にはタッチパターンの保存がモーションパターンの保存の後に進められるものであると示したが、これは進行順序の例を示したものに過ぎず、これに限定されるものではない。
【００３６】
映像実行部１６０は、携帯端末１００のタッチ画面にドア及び鍵の映像を表示することができ、制御部１３０は、ユーザがタッチ画面に表示された映像をタッチする場合に携帯端末１００のモーションを測定するようにモーション測定部１１０を制御できる（図９の９３０）。例えば、図４に示したように、映像実行部１６０がタッチ画面にドア映像４１０、鍵映像４２０、ノブ映像４３０及び鍵穴映像４４０を表示できる。この場合、タッチ画面を介してユーザが鍵映像４２０をドラッグ（ｄｒａｇ）して鍵４２０を鍵穴４４０に合わせると、制御部１３０は、タッチ画面から鍵４２０のドラッグに対応する応答信号を受信し、それに応じて端末１００に対するモーションを測定するようにモーション測定部１１０を制御できる。この時、制御部１３０は、ユーザがタッチ画面を介して鍵４２０を鍵穴４４０に合わせると、鍵穴４４０に鍵３２０が挿入される映像を表示することができ、鍵４２０が挿入された後、鍵を反時計回り方向に回すような一次的なモーションパターンが測定された場合に画面のロック解除を実行することもできる。
【００３７】
または、携帯端末１００のロック解除に対するユーザ認証を強化するために、モーションパターンを複合的に行うこともできる。例えば、図４で鍵穴４４０に鍵４２０が挿入された後、モーション測定部１１０を介して一次的に鍵を反時計回り方向に回すモーションパターンが測定されたかを判断し、一次的なモーションパターンが測定された場合にノブ４３０を回す二次的なモーションパターンが測定されたかを判断することもできる。この場合、一次的なモーションパターンと二次的なモーションパターンとは、「ガチャ」という音のような音響効果や「一次認証に成功しました」のようなメッセージを介して区分され得る。
【００３８】
または、本発明の実施形態による携帯端末の画面ロック解除方法は、タッチパターンとモーションパターンとを組み合わせてユーザ認証を強化することもできる。例えば、タッチパターン保存部１４０は、図７に示したように、表示された鍵映像４２０を鍵穴４４０までドラッグする過程のタッチパターンを設定して保存することができ、タッチパターン比較部１５０が鍵映像の移動パターンと保存されたタッチパターンとを比較するように具現されることもできる（図９の９４０）。ここでは、ドア及び鍵の映像表示及びタッチパターンの比較段階が１つの映像を通じて実行されるものであると説明したが、図６で説明したように、別の段階として実行されることもできる。また、映像実行部１６０によって実行される画面は、図４に限定されるものではなく、様々な変形が可能であることは勿論である。
タッチパターン比較部１５０によって鍵映像の移動パターンと保存されたタッチパターンとが一致すると判断されると（図９の９５０）、制御部１３０は、携帯端末１００のモーションを指示する案内メッセージを出力できる（図９の９６０）。
【００３９】
案内メッセージに従い、ユーザが携帯端末１００を動かすと、モーション測定部１１０は、携帯端末１００のモーションに対してモーション方向、当該モーション方向に対する速度、加速度、角速度、角加速度、勾配変化量、移動距離変化量のうち少なくとも１つを含むモーションを測定する（図９の９７０）。この時、モーション測定部１１０は、設定された時間以上モーションが固定された状態でモーションが開始された後、再度設定された時間以上モーションが固定されるまでのモーションを１つのモーションパターンであると測定できる。又は、特定の入力キーや特定の地点のタッチを用いてモーションの開始及び終了を判断するか、又は予め設定されたモーションのパターンを用いてモーションの開始及び終了を判断することができる。その他にもモーションのパターンを認識するための開始及び終了の判断方法には様々に変形された方法が応用され得る。
ユーザによる携帯端末１００のモーションがモーションパターン保存部１２０に保存されたモーションパターンと一致すると（図９の９８０）、制御部１３０は、映像表示部１６０によって表示された映像に対してドアが開かれるような動作を実行し、それによる効果音やメッセージを出力することによって、画面ロック解除を実行できる（図９の９９０）。
【００４０】
図１０は、本発明の別の実施形態による携帯端末の画面ロック解除方法を示すフローチャートである。
図８及び図１０を参照すると、モーションパターン保存部８２０は、携帯端末８００に対して設定されたモーションパターンを保存することができる（図１０の１０１０）。また、パスワード保存部８４０は、ユーザによって設定されたパスワードを保存することができる（図１０の１０２０）。ここでは、図にはパスワードの保存がモーションパターンの保存の後に進められるものであると示したが、これは進行順序の例を示したものに過ぎず、これに限定されるものではない。
【００４１】
映像実行部８６０は、携帯端末８００の画面にスライディングドア映像を表示するか、又はパスワードの入力のための数字及び文字の入力キーパッド映像、並びにスライディングドア映像を表示できる（図１０の１０３０）。この時、携帯端末８００の画面に表示され得るドアの映像は、スライディングドア映像に限定されるものではないことは勿論である。
ユーザが携帯端末８００に設けられた入力キーを介してパスワードを入力するか、又は入力キーパッド映像をタッチしてパスワードを入力すると、パスワード比較部８５０は、入力されたパスワードをパスワード保存部８４０に保存されたパスワードと比較できる（図１０の１０４０）。
入力されたパスワードと保存されたパスワードとが一致する場合（図１０の１０５０）、制御部８３０は、携帯端末８００のモーションを指示する案内メッセージを出力できる（図１０の１０６０）。ここでは、図にはスライディングドア映像が表示された後、ユーザのパスワードの入力に応じてモーションを指示する案内メッセージが出力されると図示して説明したが、先にユーザからパスワードを入力され、入力されたパスワードが保存されたパスワードと一致する場合にスライディングドア映像及び案内メッセージを出力することもできる。
【００４２】
案内メッセージに応じてユーザが携帯端末８００を動かすと、モーション測定部８１０は、携帯端末８００のモーションに対してモーション方向、当該モーション方向に対する速度、加速度、角速度、角加速度、勾配変化量、移動距離変化量のうち少なくとも１つを含むモーションを測定する（図１０の１０７０）。
ユーザによる携帯端末８００のモーションがモーションパターン保存部８２０に保存されたモーションパターンと一致すると（図１０の１０８０）、制御部８３０は、映像表示部８６０によって表示された映像に対してスライディングドアが開かれるような動作を実行し、それによる効果音やメッセージを出力することによって、画面ロック解除を実行できる（図１０の１０９０）。
本発明において、図１０に関連する以上で詳述した方法は、１つ以上のソフトウェアモジュールから１つ以上の命令として提供されるか、又は移動端末を含む電子装置に保存されたコンピュータプログラムとして提供され得る。
【００４３】
図１１は、本発明の別の実施形態によるタッチ画面映像を示す図であり、図１２は、本発明による図１１の携帯端末のモーションの程度によるページめくりの程度を示す図である。
携帯端末は、画面ロック状態で、画面ロック状態を示すタッチ画面映像を提供し、このタッチ画面映像に対してあらかじめ定義されたタッチジェスチャを予め保存している。このようなタッチジェスチャは、不特定位置で臨界時間の間維持されたシングルタッチであり得る。
【００４４】
タッチ画面映像に対して不特定位置で臨界時間の間維持されたシングルタッチが発生した場合、携帯端末は、端末のモーションを感知し、感知した端末のモーションがあらかじめ定義された端末のモーションである場合、画面ロックを解除するようになる。このようなあらかじめ定義された端末のモーションは、ユーザが端末を手に取って上、下、左、右、及びそれらが組み合わせられた方向に移動させる動作に相応できる。大体の場合は、ユーザは、端末を手に取って移動させる場合、ヒジを軸にして端末が回動されるが、携帯端末は、回転を感知できるジャイロセンサを備えており、携帯端末は、実際、ユーザが端末を動く動作に相応する端末のモーションをこのようなジャイロセンサを用いて感知できる。
【００４５】
このような構成による実施形態によれば、ユーザは、ロック画面の不特定位置を臨界時間以上のタッチを維持した状態で手に取っている端末を持ち上げ、携帯端末は画面ロックを解除できる。
また、このような構成による別の実施形態によれば、例えば、ユーザは、ロック画面の不特定位置を臨界時間以上のタッチを維持した状態で手に取っている端末を持ち上げた後、タッチを解除するようになり、携帯端末は画面ロックを解除できる。
【００４６】
図１１及び図１２に示す実施形態を上述の構成要素に対応させ、さらに具体的に説明すると、次のとおりである。
しかし、これに限定されるものではなく、図１１及び図１２に示したように、ユーザの指Ｆによる他のタッチ方式を一次的に認識し、このような状態でモーション測定部１１０によって携帯端末１００のモーションを二次的に認識してロック解除を行うこともできる。
【００４７】
例えば、制御部１３０は、ロック画面に対して所定の時間の間タッチされた状態を認識し、あらかじめ設定されたタッチパターン保存部１４０のタッチ時間に相応するロック画面に対するタッチ時間が維持される場合、一次的にユーザ本人であることを認証できる。しかし、これに限定されるものではなく、ユーザによるパターン方式の一次入力は、一定の時間の間ロック画面に対する所定の領域のタッチを維持する動作、ロック画面のタッチを維持した状態で所定の方向にドラッグする動作、少なくとも２つのタッチ点を維持するマルチタッチ動作、マルチタッチを維持した状態でドラッグする動作のうちいずれか１つの入力を有し得る。
【００４８】
また、一次入力によるタッチ維持時間も調節が可能である。例えば、制御部１３０は、タッチ維持時間が所定の時間以上の場合、一次入力を認証した後、携帯端末１００の二次モーション検出を行うこともできる。別の方式として、タッチ維持時間が２秒以内に携帯端末１００のモーションを検出する二次入力をモーション測定部１１０によって入力されることができる。この場合、タッチ維持時間が２秒以上経過した場合、一次入力に対する認証が許可されないと決定し、二次モーション入力を受けることなく、再度一次タッチ入力を再入力するように要求できる。さらに別の方式として、タッチ維持時間が１〜２秒の間の場合にのみ携帯端末１００のモーションを検出する二次入力をモーション測定部によって入力されることができる。この場合、タッチ維持時間が１秒未満であるか、又は２秒を超える範囲では二次モーション入力を受けないように制御できる
【００４９】
また、制御部１３０は、一次的にユーザによって入力されたタッチ方式があらかじめ保存されたタッチ方式と一致することを確認した後、映像実行部１６０を制御してロック画面に対するページめくり画面を出力できる。この場合、制御部は、モーション測定部を制御して携帯端末１００のモーションを検出し、当該モーションの程度に応じてロック画面のページめくりの程度を調節できる。例えば、ロック画面のページめくりの程度が１／３である場合、２／３はロック画面を表示し、残りの１／３は図１１に示したように、ロック画面１１１０の下にメイン画面１１２０が配置されるように表示できる。
【００５０】
好ましくは、制御部１３０は、タッチを維持した状態でモーションパターン保存部１２０にあらかじめ保存された携帯端末１００のモーションと一致する場合、当該ロック画面を解除できる。より好ましくは、制御部１３０は、映像実行部１６０を制御してタッチを維持した状態で携帯端末１００のモーションの程度に応じてロック画面に対するページめくり画面を調節できる。例えば、携帯端末を現在把持しており、一次入力で当該タッチ方式を維持したまま、携帯端末を左に傾ける程度に応じてページめくり画面が調節され得る。この場合、図１２に示したように、例えば、ページめくり画面で見えるロック画面１２１０が所定の領域以上めくられメイン画面１２２０の領域の方が多く表示された時、制御部１３０は、ロック解除であると認識して端末を操作するためのメイン画面１２２０を表示できる。上記の所定の領域は、携帯端末１００のモーションの程度に応じて１／２、１／３などのページめくりの程度を超えると、ロック画面が解除されるように設定できる。また、制御部１３０は、上記タッチ入力が維持された状態で、二次的に携帯端末１００のモーションを検出した後、映像実行部１６０を制御してロック画面に対するページめくり画面を表示する。このような状態で、制御部は、再度現在維持中のタッチ入力が解除される三次入力を感知すると、ロック画面を解除することができる。
【００５１】
すなわち、ユーザは、当該タッチ方式に合わせて、一次的にロック画面に対するタッチを維持した状態で携帯端末を動かしてロック画面に対するページめくり画面を二次的に表示させ、さらに三次的に現在維持中のタッチ入力を解除することによってロック画面を解除させることができる。
【００５２】
図１３は、本発明の別の実施形態によるタッチ画面映像を示す図である。
携帯端末は、タッチ画面上にスライディングドア画像１３２０を表示し、このスライディングドア画像１３２０は、ユーザのジェスチャによって実際のスライディングドアのように開かれる姿で表現される（図１３の１３１０）。
スライディングドア画像１３２０は、上記のように、携帯端末の画面ロック状態で提供されるもので、画面ロック状態から画面ロック解除状態に変更できるグラフィックユーザインタフェースになる。
【００５３】
携帯端末は、スライディングドア画像１３２０に対してタッチ画面を介したタッチを予め保存する。また、携帯端末は、スライディングドア画像１３２０に対して携帯端末のモーションパターンを予め保存する。例えば、スライディングドア画像１３２０に対して予め保存された画面上のタッチは、臨界時間以上維持するタッチであり、ドア画像１３２０に対して予め保存された携帯端末のモーションは、左側方向への移動を意味することができる。この時、携帯端末の左側方向へのモーションは、正確に直線方向に沿うものに限定されず、携帯端末のモーションを測定する時点の初期位置から様々な移動経路（直線、曲線等）に沿って左側を指す所定の範囲領域に移動される様々な形態であり得る。
ユーザが携帯端末を手に取って左に移動させる場合、大体の場合は、携帯端末は、ユーザのヒジを軸にして回動されて左側に置かれるようになる。携帯端末は、回転を感知できるジャイロセンサを備えており、このようなジャイロセンサを用いて端末の回転方向に応じて様々な方向へのモーション及びこれらを組み合わせたモーションパターンを検出できる。
【００５４】
ユーザがスライディングドア画像１３２０を臨界時間の間タッチする場合、携帯端末は、予め保存しているタッチとユーザによるタッチとが一致すると判断し、携帯端末のモーション測定を開始する。この時、携帯端末は、ユーザが携帯端末を動かすように誘導するメッセージ又は音声を提供できる。
次に、ユーザは、スライディングドア画像１３２０をタッチしている状態で携帯端末を左に移動させ、携帯端末は、予め保存しているモーションパターンとユーザによる端末のモーションとが一致すると判断し、スライディングドア画像１３２０を左に移動させる映像１３１０を提供する。次に、ユーザがスライディングドア画像１３２０からタッチを解除する場合、携帯端末は画面ロックを解除する。
結局、ユーザは、スライディングドア画像１３２０をタッチする動作を介して、実際のスライディングドアを開けるためにスライディングドアノブを手に取るような感覚を持つことができ、携帯端末を移動させる動作を介して、実際のスライディングドアを手に取って開ける感覚を持つことができ、画面ロック解除に対して使用性の側面で馴染みを感じることができる。
【００５５】
図１４は、本発明の別の実施形態によるタッチ画面映像を示す図である。
携帯端末は、タッチ画面上にスライディングドア画像１４３０を表示し、このスライディングドア画像１４３０は、ユーザのジェスチャによって実際のスライディングドアのように開かれる姿で表現される。さらに、携帯端末は、手画像１４２０を表示し、ユーザのタッチによって手画像１４２０は移動する。
スライディングドア画像１４３０及び手画像１４２０は、上記のように、携帯端末の画面ロック状態で提供されるもので、画面ロック状態から画面ロック解除状態に変更できるグラフィックユーザインタフェースになる。
【００５６】
携帯端末は、手画像１４２０に対してタッチ画面を介したタッチパターンを予め保存する。また、携帯端末は、スライディングドア画像１４３０に対して携帯端末のモーションパターンを予め保存する。例えば、手画像１４２０に対して予め保存された画面上のタッチパターンは、スライディングドア画像１４３０上にドラッグ移動されるもので、ドア画像１４３０に対して予め保存された携帯端末のモーションは、左側方向への移動を意味することができる。この時、携帯端末の左側方向へのモーションは、正確に直線方向に沿うものに限定されず、携帯端末のモーションを測定する時点の初期位置から様々な移動経路（直線、曲線等）に沿って左側を指す所定の範囲領域に移動される様々な形態であり得る。
【００５７】
ユーザが手画像１４２０をタッチした後、ドラッグしてスライディングドア画像１４３０上に移動させた場合、携帯端末は、予め保存しているタッチパターンとユーザによって入力されたタッチパターンとが一致すると判断し、携帯端末のモーション測定を開始する。この時、携帯端末は、ユーザが携帯端末を動かすように誘導するメッセージ又は音声を提供できる。
次に、ユーザは、タッチを維持している状態で携帯端末を左に移動させ、携帯端末は、予め保存しているモーションパターンとユーザによる端末のモーションとが一致すると判断し、スライディングドア画像１４３０を左に移動させる映像を提供する。次に、ユーザがタッチを解除する場合、携帯端末は画面ロックを解除する。
結局、ユーザは、手画像１４２０をスライディングドア画像１４２０にタッチドラッグする動作を介して、実際のスライディングドアを開けるためにスライディングドアに手を持っていきスライディングドアノブを掴む感覚を持つことができ、携帯端末を移動させる動作を介して、実際のスライディングドアを手に取って開ける感覚を持つことができ、画面ロック解除に対して使用性の側面で馴染みを感じることができる。
【００５８】
以上の説明は、本発明の技術思想を例示的に説明したに過ぎないものであって、本発明の属する技術分野における通常の知識を持つ者であれば、本発明の本質的な特性から逸脱しない範囲で様々な修正及び変形が可能である。また、本発明に開示された実施形態は、本発明の技術思想を限定するためのものではなく、説明するためのものであって、このような実施形態によって本発明の技術思想の範囲が限定されるものではない。よって、本発明の保護範囲は、添付した特許請求の範囲によって解釈されるべきであり、それと同等の範囲内にある全ての技術思想は本発明の権利範囲に含まれるものであると解釈されるべきである。
【符号の説明】
【００５９】
１００，８００  携帯端末
１１０，８１０  モーション測定部
１２０，８２０  モーションパターン保存部
１３０，８３０  制御部
１４０  タッチパターン保存部
１５０  タッチパターン比較部
１６０，８６０  映像実行部
８４０  パスワード保存部
８５０  パスワード比較部
【図１】
0005875688.tif 000002
【図２】
0005875688.tif 000003
【図３】
0005875688.tif 000004
【図４】
0005875688.tif 000005
【図５】
0005875688.tif 000006
【図６】
0005875688.tif 000007
【図７】
0005875688.tif 000008
【図８】
0005875688.tif 000009
【図９】
0005875688.tif 000010
【図１０】
0005875688.tif 000011
【図１１】
0005875688.tif 000012
【図１２】
0005875688.tif 000013
【図１３】
0005875688.tif 000014
【図１４】
0005875688.tif 000015